(57)【要約】【課題】  窓ガラスの内面を伝わり落ちる水で、浴室の窓の下の地面を濡らすことがないよう、この種の水を任意の箇所に導いて排水できるようにする。【解決手段】  窓開閉用建具１Ａを備えた浴室窓用のサッシであって、下枠９の屋外位置に、この下枠９の上面９ｂを伝わって流れ出る水を捕集するための水受部１２を設ける。この水受部１２に、水を任意の箇所に導く排水部材１３を接続する。この排水部材１３を、蛇腹状のプラスチック管、軟質樹脂製のホース、或は防水加工を施した鎖等の線状部材で形成し、且つ浴室１の出窓の下側から、建物の外壁に沿って配設する。【選択図】    図１
2004225531.tif 000002
【特許請求の範囲】
【請求項１】
窓開閉用建具を備えた浴室窓用のサッシであって、下枠の屋外位置に、この下枠の上面を伝わって流れ出る水を捕集するための水受部が設けられ、この水受部に、水を任意の箇所に導く排水部材が接続され、この排水部材が蛇腹状のプラスチック管、軟質樹脂製のホース、或は防水加工が施された鎖等の線状部材で形成され、且つ浴室の出窓の下側から、建物の外壁に沿って配設されていることを特徴とする浴室窓の水漏れ防止機能付きサッシ。
【請求項２】
窓開閉用建具を備えた浴室窓用のサッシであって、下枠の屋外位置に、この下枠の上面を伝わって流れ出る水を捕集するための水受部が下枠に沿って下枠の全長にわたって軒樋状に設けられ、この水受部に、水を任意の箇所に導く排水部材が接続され、この排水部材が蛇腹状のプラスチック管、軟質樹脂製のホース、或は防水加工が施された鎖等の線状部材であることを特徴とする浴室窓の水漏れ防止機能付きサッシ。
【請求項３】
窓開閉用建具を備えた浴室窓用のサッシであって、案内レールが形成された下枠の下部に管路が形成され、下枠の上面を伝わって流れる水を管路に導くための孔が案内レールの端部の、下枠の最下段の上面に形成され、上記の管路に排水部材が接続されたことを特徴とする浴室窓の水漏れ防止機能付きサッシ。
【発明の詳細な説明】
【技術分野】
【０００１】
本発明は、窓開閉用建具を備えた浴室窓用のサッシに関し、更に詳しくは窓開閉用建具の室内側の面に付着する水が浴室外に漏れ出る事態を防止できるよう形成した浴室窓の水漏れ防止機能付きサッシに関するものである。
【背景技術】
【０００２】
従来、この種のサッシは、例えば図６に示されるように、窓開閉用建具として引き違い戸を備えたものでは、通常、下枠ａの案内レールｂ（同図Ｂ参照）の端部が切り欠かれ、窓ガラスｃの内面及び外面を伝わり落ちる水を、矢示のように室外に導いて、排水できるよう形成されている。
【０００３】
ところで浴室窓用のこの種サッシは、浴室という水気の多い所に配設されるという特殊性から、窓ガラスの内面が、湯気で曇ったり、外気との温度差で結露し易いものである。又この種サッシは、窓ガラスの内面に、洗面や洗髪時の飛沫が付着し易く、付着するこの種の飛沫を除去するため、入浴者によってシャワーが浴びせられることも多い。
【０００４】
従ってこの種サッシは、リビングなどの窓用サッシより、窓ガラスの内面に付着する水の量が格段に多いから、このような水がそのまま室外に流出すると、窓の下の地面が広範囲で濡れ、その結果見る者に不可解な印象を与えたり、埋設配管等の水漏れと誤認する事態を招くことになる。
そのためこの種サッシは、窓ガラスの内面に付着する水を任意の箇所に導いて排水できるよう形成されているのが望ましい。
【０００５】
しかるに従来品は、上記の通り、窓ガラスの内面に付着した水を、単に室外に排出するのみであったから、従来品によると、窓の下の地面を広い範囲で濡らし、見る者に不可解な印象を与えたり、埋設配管等の水漏れと誤認させる、という問題点があった。
【発明の開示】
【発明が解決しようとする課題】
【０００６】
本発明は、このような従来品の問題点を解消しようとするものである。
従って本発明サッシの技術的課題は、窓ガラスの内面を伝わり落ちる水で、浴室の窓の下の地面を濡らすことがないようにした浴室窓の水漏れ防止機能付きサッシを提供することにある。
【課題を解決するための手段】
【０００７】
本発明は、上記の課題を解決するために次のような技術的手段を採る。
即ち本発明は、図１に示されるように、窓開閉用建具１Ａを備えた浴室窓用のサッシであって、下枠９の屋外位置に、この下枠９の上面９ｂを伝わって流れ出る水を捕集するための水受部１２が設けられ、この水受部１２に、水を任意の箇所に導く排水部材１３が接続され、この排水部材１３が蛇腹状のプラスチック管、軟質樹脂製のホース、或は防水加工が施された鎖等の線状部材で形成され、且つ浴室１の出窓の下側から、建物の外壁に沿って配設されていることを特徴とする（請求項１）。
【０００８】
この場合、水受部１２は、下枠９との一体感、統一感を得られるよう、下枠９と同じ材質で形成されるのが好ましい。引き違い窓の場合、水受部１２の配設位置は、具体的には案内レール８の端部に対応する下枠９の屋外位置である。なおここで排水部材１３とは、上記の通り、捕集した水を任意の箇所に導くことができるものを意味する。
【０００９】
又本発明サッシの他の構成としては、図２〜図４に示されるように、窓開閉用建具１Ａを備えた浴室窓用のサッシであって、下枠９の屋外位置に、この下枠９の上面９ｂを伝わって流れ出る水を捕集するための水受部１２が下枠９に沿って下枠９の全長にわたって軒樋状に設けられ、この水受部１２に、水を任意の箇所に導く排水部材１３が接続され、この排水部材１３が蛇腹状のプラスチック管、軟質樹脂製のホース、或は防水加工が施された鎖等の線状部材であることを特徴とするものがある（請求項２）。
【００１０】
この場合は、排水部材１３が一本で済み、下枠９のデザインがすっきりし、更には降雨の際に窓ガラス２ｂ（図２参照）の外面を伝わり落ちる水を、排水部材１３から任意の場所に排水できる、という利点がある。
【００１１】
又上記の課題を達成する本発明サッシの更に他の構成としては、図５に示されるように、窓開閉用建具１Ａを備えた浴室窓用のサッシであって、案内レール８が形成された下枠９の下部に管路１４が形成され、下枠９の上面９ｂを伝わって流れる水を管路１４に導くための孔１５が案内レール８の端部の、下枠９の最下段の上面９ｂに形成され、上記の管路１４に排水部材１３が接続されたことを特徴とするものがある（請求項３）。
【００１２】
この場合は、下枠９の外側方に突き出る部分がないから、これによれば、図１〜図４に示されるような水受部１２を備えた本発明の場合に比べ、体裁が良くなる。
【００１３】
なお管路１４は、本発明の場合、下枠９の全長にわたって形成される必要はなく、又その断面形状は任意である。
【００１４】
又本発明では、孔１５の個数、大きさも任意である。又この本発明の場合、孔１５は案内レール８の端部の、下枠９の最下段の上面９ｂに形成されているが（図５参照）、これは、この種下枠９の場合、窓を伝わり落ちる水が、通常、案内レール８の端部を経て、下枠９の最下段の上面９ｂに導かれることからである。
【発明の効果】
【００１５】
本発明のサッシが、請求項１、２のように構成される場合は、下枠の上面を伝わって流れ出る水を水受部で捕集し排水部材で任意の箇所に排水できる。従ってこれによれば、上記の水で浴室の窓の下の地面を濡らすことを防止できる。
又本発明のサッシが、請求項３のように構成される場合は、窓開閉用建具を伝わって流れ落ちる水を、管路から排水部材を介して任意の箇所に導いて排水できる。従ってこれによれば、この種の水で浴室の窓の下の地面を濡らすことを防止できる。
【発明を実施するための最良の形態】
【００１６】
以下、請求項１に係る本発明サッシの好適な一実施形態を、図１に従って説明する。
同図において、１は浴室であり、２は窓開閉用建具１Ａとしての室内側の引き違い戸である。５は室外側の引き違い戸、８は案内レール、９はこの案内レール８が上面９ｂに形成された下枠である。
【００１７】
１２は、下枠９の上面９ｂを伝わって案内レール８の端部から流れ出る水を捕集するための水受部である。この水受部１２は、この実施形態では案内レール８の端部に対応する下枠９の屋外位置に夫々設けられている。
【００１８】
１３は、水受部１２に接続された排水部材である。この排水部材１３は、この実施形態では蛇腹状のフレキシブル管で形成され、浴室１の出窓の下側から、建物の外壁に沿って配管されている。
【００１９】
従ってこの本発明サッシの場合、室内側の引き違い戸２の内面を伝わって流れ落ちた水は、案内レール８の端部から水受部１２に入り、その後、排水部材１３を介して任意の箇所に排水される。
【００２０】
次に請求項２に係る本発明サッシの好適な一実施形態を、図２〜図４に従って説明する。
この本発明は、窓開閉用建具１Ａを備えた浴室窓用のサッシであって、下枠９の屋外位置に、この下枠９の上面９ｂを伝わって流れ出る水を捕集するための水受部１２が、下枠９に沿って下枠９の全長にわたって軒樋状に設けられている。そして水受部１２に、水を任意の箇所に導く排水部材１３が接続されている。この排水部材１３は、例えば防水加工が施された鎖（図２参照）や、蛇腹状のプラスチック管（図３、図４参照）で形成されている。なお窓開閉用建具１Ａは、引き違い戸には限られず、図３、図４に示されるように屋外側に突き出したり倒す形式のものでも良い。なお図２において、２は窓開閉用建具１Ａとしての室内側の引き違い戸、２ａはアルミ合金製の枠、２ｂは窓ガラス、５は室外側の引き違い戸である。
【００２１】
次に請求項３に係る本発明サッシの好適な一実施形態を、図５に従って説明する。
同図において、１４は、引き違い窓用の下枠９の下部に形成された管路である。
この管路１４は、この実施形態ではアルミ合金製の下枠９と一体状に形成されている。又この管路１４に、排水部材１３が接続されている。排水部材１３は、この実施形態では蛇腹状のフレキシブル管で形成されている。
【００２２】
１５は、下枠９の上面９ｂを伝わって流れる水を、管路１４に導くための孔である。この孔１５は、案内レール８の端部の最下段の上面９ｂの位置に形成されている。なお図５において、１は浴室、２は窓開閉用建具１Ａとしての室内側の引き違い戸である。この引き違い戸２は、アルミ合金製の枠２ａに、窓ガラス２ｂと、鏡面を洗い場の側に向けた鏡２ｃとを面一の状態で備えてなる。また２ｄは、鏡２ｃを取り付けるための金属製の桟やコーキング材の箇所である。４はカウンターパネル、５は室外側の引き違い戸、８は引き違い戸２、５を案内する案内レール、１６は網戸である。
【００２３】
この本発明サッシの場合、室内側の引き違い戸２の鏡２ｃの鏡面等を伝わり落ちた水は、下枠９の上面９ｂから孔１５を介して管路１４に流入する。そして排水部材１３を介して、任意の箇所に排水される。
【図面の簡単な説明】
【００２４】
【図１】本発明サッシの構成を示す要部斜視図である。
【図２】本発明サッシの他の構成を示す要部斜視図である。
【図３】図２の本発明サッシの他の実施形態を示し、Ａは要部斜視図、Ｂは要部縦断面図である。
【図４】図２の本発明サッシの更に他の実施形態を示し、Ａは要部斜視図、Ｂは要部縦断面図である。
【図５】本発明サッシの更に他の構成を示す要部縦断面図である。
【図６】Ａは従来品の要部斜視図、Ｂは要部縦断面図である。
【符号の説明】
【００２５】
１    浴室
１Ａ  窓開閉用建具
９    下枠
９ｂ  上面
１２  水受部
１３  排水部材
【図１】
2004225531.tif 000003
【図２】
2004225531.tif 000004
【図３】
2004225531.tif 000005
【図４】
2004225531.tif 000006
【図５】
2004225531.tif 000007
【図６】
2004225531.tif 000008